(57)【特許請求の範囲】
【請求項１】
異なる電力レベルでの複数の通信を制御するための光学装置であって、
少なくとも１つの光通信チャネルの送信リンクを介して複数の第１光信号を送信する光源を有する送信機と、
前記少なくとも１つの光通信チャネルの受信リンクを介して複数の第２光信号を受信する受信機と、
前記送信機及び前記受信機と結合されるコントローラと
を備え、
前記コントローラは、前記送信機により、第１電力レベルで前記送信リンクを介して複数の第１パルス信号の第１セットを送信させ、
前記受信リンクにおける光学パワーの変化を検知し、前記変化は、前記光通信チャネル上に他の光学装置からの光信号が存在することを示し、
前記送信機により、前記送信リンクを介して、前記第１電力レベルで複数の第２パルス信号の第１セットを前記他の光学装置へ送信させ、
前記複数の第２パルス信号の前記第１セットの前記送信に応じて、前記複数の第２パルス信号の第２セットの受信を前記受信リンクにて検知し、
前記複数の第２パルス信号の前記第２セットの前記受信は、第２電力レベルで通信するべく、前記他の光学装置の能力を確認することを示し、
前記他の光学装置に対して、前記送信機による前記送信リンクを介した前記第２電力レベルでのデータ送信を開始し、
前記第２電力レベルは、前記第１電力レベルより大きい、光学装置。
【請求項２】
前記コントローラは、更に、
前記光通信チャネル内の少なくとも１つのフェイル状態を検知し、
前記送信機に対して、前記送信リンクを介して前記複数の第１パルス信号の第２セットを前記第１電力レベルで送信させる、請求項１に記載の光学装置。
【請求項３】
前記コントローラは、前記光通信チャネルに対して割り当てられた送信期間の間に、前記送信機を通じて前記複数の第１パルス信号及び前記複数の第２パルス信号を送信させる、請求項２に記載の光学装置。
【請求項４】
前記少なくとも１つのフェイル状態は、第１閾値を超える電圧、第２閾値未満の電圧、第３閾値を超える温度、又は、第４閾値を超える周囲状況のうちの１つを含む、請求項２に記載の光学装置。
【請求項５】
前記受信リンクにおける光学パワーの前記変化は、前記複数の第１パルス信号の前記送信に応じて生じる、請求項１から４のいずれか一項に記載の光学装置。
【請求項６】
前記光源は、レーザである、請求項１から５のいずれか一項に記載の光学装置。
【請求項７】
前記第１電力レベルは、クラス１  米国国家規格協会（ＡＮＳＩ）レーザ安全規格に対応し、前記第２電力レベルは、クラス３Ｒ  ＡＮＳＩレーザ安全規格に対応する、請求項１から６のいずれか一項に記載の光学装置。
【請求項８】
前記コントローラは、更に、
複数の第１パルス信号の第１セットの前記送信の間に前記光通信チャネル内の少なくとも１つのフェイル状態を検知し、
前記送信を無効にし、又は、前記送信を再開する、請求項１から７のいずれか一項に記載の光学装置。
【請求項９】
請求項１から８のいずれか一項に記載の光学装置を備える、ネットワークインタフェースカード。
【請求項１０】
コンピューティングシステムであって、
プロセッサと、
前記プロセッサと結合されるメモリと、
前記プロセッサ及びメモリと結合され、前記コンピューティングシステムをネットワークと接続する通信インタフェースデバイスと
を備え、
前記通信インタフェースデバイスは、請求項１から８のいずれか一項に記載の光学装置を有するネットワークインタフェースカードを含む、コンピューティングシステム。
【請求項１１】
異なる電力レベルでの複数の通信を制御するための方法であって、
光学装置が、光通信チャネルの送信リンクを介した複数の第１パルス信号の第１セットの送信を第１電力レベルで開始する段階と、
前記光学装置が、前記光通信チャネルの受信リンク内で光学パワーの変化を検知する段階であって、前記変化は、前記複数の第１パルス信号の前記送信に応じて生じ、かつ、前記光通信チャネル上に他の光学装置の光信号が存在することを示す、段階と、
前記光学装置が、前記他の光学装置に対する前記第１電力レベルでの複数の第２パルス信号の第１セットの送信を開始する段階と、
複数の第２パルス信号の前記第１セットの前記送信に応じて、前記光学装置が、前記受信リンクにおける前記複数の第２パルス信号の第２セットの受信を検知する段階と、
前記光学装置が、前記他の光学装置への前記送信リンクを介したデータ送信を第２電力レベルで開始する段階と
を備え、
前記第２電力レベルは、前記第１電力レベルより大きい、方法。
【請求項１２】
前記光学装置が、前記光通信チャネル内の少なくとも１つのフェイル状態を検知する段階と、
前記光学装置が、前記送信リンクを介した前記第１電力レベルでの前記複数の第１パルス信号の第２セットの送信を開始する段階と
を更に備える、請求項１１に記載の方法。
【請求項１３】
ネットワークに対して、光通信チャネルを介して複数の光信号を送信及び受信する光学装置であって、
前記光通信チャネルを介して複数の第１光信号を送信するレーザを有する送信機と、
前記光通信チャネルを介して複数の第２光信号を受信する受信機と、
前記光通信チャネルを提供する光ファイバケーブルを受容するケージと、
前記レーザの電源をオンにする回路と、
前記送信機及び前記受信機と結合されるコントローラと、
を備え、
前記コントローラは、
前記送信機に対して、第１電力レベルで複数の第１パルス信号の第１セットを、前記光通信チャネルの送信リンクを介して送信させ、
前記光通信チャネルの受信リンクにおける光学パワーの変化を検知し、前記変化が、前記光通信チャネル上における他の光学装置からの光信号の存在を示し、
前記送信機により、前記送信リンクを介して、前記第１電力レベルで複数の第２パルス信号の第１セットを前記他の光学装置へ送信させ、
前記複数の第２パルス信号の前記第１セットの前記送信に応じて、前記複数の第２パルス信号の第２セットの受信を前記受信リンクにて検知し、
前記複数の第２パルス信号の前記第２セットの前記受信は、第２電力レベルで通信するべく、前記他の光学装置の能力を確認することを示し、
前記他の光学装置に対して、前記送信機による前記送信リンクを介した前記第２電力レベルでのデータ送信を開始し、
前記第２電力レベルは、前記第１電力レベルより大きく、
前記回路は、前記ケージ内に配置されるブレーカを有するノーマリーオープンな回路を含み、
前記ケージへの前記光ファイバケーブルの光ファイバコネクタの挿入は、前記ブレーカをトリップして前記ノーマリーオープンな回路をクローズする、光学装置。
【請求項１４】
プリント回路基板（ＰＣＢ）を更に備え、
前記ケージは、前記ＰＣＢに接続される、請求項１３に記載の光学装置。
【請求項１５】
前記回路は、前記ＰＣＢの共通グランドに前記回路のレーザ電源線を接地する、請求項１４に記載の光学装置。
【請求項１６】
前記光学装置の前記送信機及び受信機による前記複数の光信号の送信及び受信を可能とすべく、前記光学装置と結合されるネットワークインタフェースカード（ＮＩＣ）を更に備える、請求項１３から１５のいずれか一項に記載の光学装置。
【請求項１７】
コンピューティングシステムであって、
プロセッサと、
前記プロセッサと結合されるメモリと、
前記プロセッサ及び前記メモリと結合され、前記コンピューティングシステムをネットワークと接続する通信インタフェースデバイスと
を備え、
前記通信インタフェースデバイスは、請求項１３から１６のいずれか一項に記載の光学装置を有するネットワークインタフェースカードを含む、コンピューティングシステム。
【発明の詳細な説明】
【技術分野】
【０００１】
［関連出願の相互参照］  本願は、「複数の送信電力レベルを有する光学装置」と題する、２０１４年６月９日に出願された米国特許出願番号第１４／３００，０３８号の優先権を主張し、本明細書の全開示がその全体の参照により組み込まれる。
【０００２】
本開示の複数の実施形態は、概して、光電子工学の分野に関し、より具体的には、トランシーバのような光学装置の電力を複数の送信電力レベルを用いて制御するための技術及び構成に関する。
【背景技術】
【０００３】
トランシーバのような光学デバイスは、多くの場合、コンピューティング環境内のデータ通信のために使用される。光トランシーバは、光ファイバケーブルを介したデータ通信のための、レーザのような光源を含み得る。光トランシーバは、コンピューティングデバイスをコンピュータネットワークに接続するオプティカルネットワークインタフェースカード（ＮＩＣ）に接続され、若しくは、その他の方法で組み込まれ、又は、複数のトランシーバポートを有するスイッチに接続され、若しくは、その他の方法で組み込まれ組み込まれ得る。光トランシーバ内のレーザは、連続的に動作され得（例えば、常に電源がオンにされ）、ユーザに光を当て得る。
【図面の簡単な説明】
【０００４】
添付図面と連動する以下の詳細な説明によって、実施形態が容易に理解されるだろう。この説明を容易にするために、同様の参照番号は、同様の構造的な要素を示す。実施形態は、例示の目的で示されており、添付図面の図に限定する目的で示されていない。
【図１】いくつかの実施形態に係る、本明細書に説明される技術を用いて、光源（例えば、レーザ）の光学パワーを制御するように構成された光学装置を含み得るコンピューティングデバイス１００のブロック図である。
【図２】いくつかの実施形態に係る、コンピューティングデバイス内の光学装置（例えば、光トランシーバ）の動作に関する例示的なプロセスフロー図である。
【図３】図１を参照して説明される光学装置と類似する例示的な光学装置を模式的に示すブロック図である。
【図４】いくつかの実施形態に係る、図３の例示的な光学装置の断面正面視及び断面側面視を模式的に示す。
【図５】いくつかの実施形態に係る、図３の例示的な光学装置の断面正面視及び断面側面視を模式的に示す。
【図６】いくつかの実施形態に係る、例示的な光学装置を動作させるための例示的なプロセスフロー図である。
【図７】いくつかの実施形態に係る、図１〜図６の光学装置の複数のコンポーネントの少なくともいくつかを含む例示的なコンピューティングデバイスを模式的に示す。
【発明を実施するための形態】
【０００５】
本開示の複数の実施形態は、コンピューティングデバイスに関連し、光源の光学パワーを制御するように構成される光学装置を含む技術及び構成を説明する。いくつかの実施形態において、光トランシーバのような光学装置は、光通信チャネルを介して複数の光信号を送信及び受信する光源及び光受信機を有する光送信機を含んでよい。装置は、送信機及び受信機と結合され、送信機によって、第１電力レベルで複数のパルス信号を、チャネルの送信リンクを介して送信させるコントローラを含んでよい。コントローラは、送信に応じて生じ得るチャネルの受信リンクにおける光学パワーの変化を検知してよい。受信リンクにおける光学パワーの変化は、光通信チャネル上における他の光学装置からの光信号の存在を示してよい。コントローラは、検知された光学装置が、第１電力レベルより大きい第２電力レベルでの複数の通信が可能であることを確認し、第２電力レベルで、装置に対するデータ送信を開始してよい。光通信チャネル内で故障が検知されると、コントローラは、送信機により、データ送信を停止させ、第１電力レベルでの複数のパルス信号の送信を再開させてよい。
【０００６】
いくつかの実施形態において、光学装置は、上記で説明されたものに加えて、又は、それに代えて、他の電力管理機能を含んでよい。例えば、光学装置の光源（例えば、レーザ）の電源をオンにする回路は、光通信チャネルを提供する光ファイバケーブルを受容するために適合されるケージの内部に配置されるブレーカを有するノーマリーオープン（ｎｏｒｍａｌｌｙ  ｏｐｅｎ）な回路を含んでよい。装置に取り付けられる光ファイバケーブルがないとき、光源は、デフォルトの電源オフ状態のままであってよい。ケージに対する光ファイバケーブルの光ファイバコネクタの挿入は、ブレーカをトリップし、ノーマリーオープンな回路をクローズすることで、光源に電力を提供してよい。
【０００７】
以下の説明では、他の当業者にこれらの取り組みの内容を伝えるべく、当業者により一般に採用される用語を用いて、例示的な実装の様々な態様が説明されよう。しかしながら、本開示の複数の実施形態が説明される態様のいくつかのみで実施され得ることが当業者に明らかであろう。説明の目的で、特定の数、材料及び構成は、例示的な実装の十分な理解を提供すべく説明される。しかしながら、本開示の複数の実施形態が具体的な詳細に関係なく実施されてよいことが当業者に明らかであろう。他の例では、例示的な実装が曖昧にならないように、周知の機能が省略され、又は、簡略化されている。
【０００８】
以下の詳細な説明では、ここの一部を形成する添付図面について言及しており、全体にわたって同様の番号が同様の部材を示し、これらは、本開示の主題が実施され得る例示的な複数の実施形態のために示される。他の実施形態が用いられてよく、構造的又は論理的な変更が本開示の範囲から逸脱せずに行われてよいことが理解されるべきである。従って、以下の詳細な説明は、制限的な意味で理解されることはなく、複数の実施形態の範囲は、添付の特許請求の範囲及びこれらの均等物によって定義される。
【０００９】
本開示の目的で、「Ａ及び／又はＢ」という表現は（Ａ）、（Ｂ）又は（Ａ及びＢ）を意味する。本開示の目的で、「Ａ，Ｂ及び／又はＣ」という表現は、（Ａ）、（Ｂ）、（Ｃ）、（Ａ及びＢ）、（Ａ及びＣ）、（Ｂ及びＣ）又は（Ａ、Ｂ及びＣ）を意味する。
【００１０】
説明では、「実施形態において」又は「複数の実施形態において」という表現を用いられることがあり、それらは、同じ実施形態又は異なる実施形態のうちの１又は複数をそれぞれ指し得る。更に、本開示の複数の実施形態に対して用いられるような、「備える（ｃｏｍｐｒｉｓｉｎｇ）」、「含む（ｉｎｃｌｕｄｉｎｇ）」、「有する（ｈａｖｉｎｇ）」等の用語は、同義語である。
【００１１】
「〜と結合する（ｃｏｕｐｌｅｄ  ｗｉｔｈ）」という用語は、その派生語と共に、本明細書で使用され得る。「結合（Ｃｏｕｐｌｅｄ）」は、次の１又は複数を意味し得る。「結合（Ｃｏｕｐｌｅｄ）」は、２つ又はそれより多くの要素が直接物理的に、又は、電気的に接触することを意味し得る。しかしながら、「結合（Ｃｏｕｐｌｅｄ）」は、２つ又はそれより多くの要素が互いに間接的に接触しているが、それでも、互いに連携又はインタラクトすることを意味してもよく、１又は複数の他の要素が、互いに結合されるといわれる要素間に結合又は接続することを意味してよい。「直接的に結合される（ｄｉｒｅｃｔｌｙ  ｃｏｕｐｌｅｄ）」という用語は、２つ又はそれより多くの要素が直接接触した状態にあることを意味し得る。
【００１２】
本明細書で用いられるように、「モジュール」という用語は、特定用途向け集積回路（ＡＳＩＣ）、電子回路、１又は複数のソフトウェア又はファームウェアプログラムを実行する（共有、専用又はグループ化された）プロセッサ及び／又は（共有、専用又はグループ化された）メモリ、組み合わせ論理回路、及び／又は、説明される機能を提供する他の適切なコンポーネントの一部であることを指してよく、又は、含んでよい。
【００１３】
図１は、いくつかの実施形態に係る、本明細書で説明される技術を用いて光源（例えば、レーザ）の光学パワーを制御するように構成される光学装置を含み得るコンピューティングデバイス１００のブロック図である。コンピューティングデバイス１００は、例えば、データセンタ内、又は、長距離における複数のラック間、複数のデータストレージ施設、複数のデータセンタ等の間を、光ファイバを介して光信号を送信するために使用されてよい。
【００１４】
示されるように、コンピューティングデバイス１００は、プロセッサ１１２と、メモリ１１４と、コンピューティングデバイス１００に対して所望の計算及び他の機能を提供するように構成される他のコンポーネント１１６とを有するコンピューティングモジュール１０２を含んでよく、これらは、互いに結合される。コンピューティングデバイス１００は、コンピューティングデバイス１００に対してネットワーク接続を提供するように構成される通信インタフェースモジュール１０４を更に含んでよい。
【００１５】
いくつかの実施形態において、コンピューティングデバイス１００のプロセッサ１１２及び／又はメモリ１１４は、通信インタフェースモジュール１０４を介してネットワーク（不図示）に提供されるデータ、又は、当該ネットワークから提供されるデータを生成及び／又は処理するように構成されてよい。いくつかの実施形態において、通信インタフェースモジュール１０４のような、例示される複数のコンポーネントのいずれか又は全ては、コンピューティングデバイス１００とは別個であり、かつ、遠く離れていてよいが、コンピューティングデバイス１００（例えば、コンピューティングモジュール１０２と示されるように）と通信可能に結合され得ることが理解されるべきである。いくつかの実施形態において、例示の複数のコンポーネントのうちの１又は複数は、別のコンポーネントの一部に組み込まれてよく、又は、そうでなければ、別の方法では別のコンポーネントの一部になってよい。例えば、いくつかの実施形態において、メモリ１１４又はその複数の部分は、プロセッサ１１２に組み込まれてよい。コンピューティングデバイス１００の例示的な構成は、図７を参照してより詳細に説明される。
【００１６】
より詳細に以下に説明されるように、通信インタフェースモジュール１０４は、コンピューティングデバイス１００をコンピュータネットワークに接続するように構成されるネットワークインタフェースカード（ＮＩＣ）１０６（例えば、オプティカルＮＩＣ）を含んでよい。ＮＩＣ１０６は、光トランシーバ１２０のような光学装置に関連付けられてよい（例えば、１又は複数の送受信接続１３０及び１３２を介して接続されてよい）。
【００１７】
光トランシーバ１２０は、ネットワーク、及び／又は、光学装置を備えるリモートデバイス１４８のような別のコンピューティングデバイスに１又は複数の光通信チャネル１５０（破線で示される）を介して接続する、光源（例えば、レーザ）１６０を有する送信機１２４と、光受信機１２６とを含んでよい。４つの通信チャネル１５０が示されているが、より少ない又はより多い数の通信チャネルが、例えば、所望のデータ送信レートを提供すべく、通信インタフェースモジュール１０４で用いられてよい。各通信チャネル１５０は、送信リンク１４０及び受信リンク１４２を有してよい。図３〜図５を参照してより詳細に説明されるように、送信リンク１４０及び受信リンク１４２を有する通信チャネル１５０は、コネクタ１４４、例えば、スタンダードコネクタ（ＳＣ）、ローカルコネクタ（ＬＣ）、Ｑｕａｄ  Ｓｍａｌｌ  Ｆｏｒｍ−Ｆａｃｔｏｒ  Ｐｌｕｇｇａｂｌｅ（ＱＳＦＰ）用のマルチファイバープッシュオン／プッシュオフ（ＭＯＰ）コネクタ、又は他の光ファイバコネクタを用いて通信インタフェースモジュール１０４と接続される光導波路、例えば、光ファイバケーブル１４６を介して実装されてよい。
【００１８】
送信されるデータは、コンピューティングモジュール１０２により通信インタフェースモジュール１０４に提供されてよい。例えば、データ信号は、ＮＩＣ１０６をマルチプレクサ（ＭＵＸ）１３４に接続するＴｘ接続１３０を介して提供されてよい。ＭＵＸ１３４において、接続１３０から多重化された信号は、光送信機１２４に入力されてよく、光信号が送信リンク１４０を経由して光ファイバケーブル１４６を通ってリモートデバイス１４８に至るように送信される。デバイス１００により受信されるデータは、ケーブル１４６を介して光受信機１２６に提供され、かつ、Ｒｘ接続１３２を介してＮＩＣ１０６に提供されてよい。
【００１９】
光トランシーバ１２０は、他の複数の機能中でも特に、送信機１２４及び受信機１２６の動作を制御するコントローラ１２８（例えば、マイクロコントローラ）を更に含んでよい。いくつかの実施形態において、コントローラ１２８は、光源１６０の光学パワーを制御して、第１電力レベルでの送信（例えば、短パルス又はバースト）を開始してよい。光通信チャネル１５０が確立されたか否かを決定すべく、パルス送信が開始されてよい。例えば、コントローラ１２８は、送信機１２４によって、第１電力レベルで複数の第１パルス信号（例えば、複数の「初期」（ＩＮＩＴ）パルス）のセットを、光通信チャネル１５０の送信リンク１４０を介して送信させてよい。
【００２０】
コントローラ１２８は、光通信チャネル１５０の受信リンク１４２（例えば、受信機１２６）をモニタして、受信リンク１４２における光学パワーの任意の変化が複数の第１パルス信号の送信に応じて生じたか否かを決定してよい。受信リンク１４２における光学パワーの変化は、他の光学装置、例えば、光通信チャネル１５０の他端におけるリモートデバイス１４８の存在を示してよい。
【００２１】
コントローラ１２８は、検知された光学装置が所望の（例えば、第２）電力レベルでの複数の通信が可能であることを確認することを試行してよく、第２電力レベルは、第１電力レベルより大きくてよい。例えば、コントローラ１２８は、送信機１２４によって、第１電力レベルで複数の第２パルス信号のセットを、送信リンク１４０を介して、検知された光学装置、リモートデバイス１４８へ送信させてよい。複数の第２パルス信号は、複数の第１パルス信号と（例えば、長さ又は周波数において）異なってよい。例えば、複数の第２パルス信号は、複数の「受信確認」（ＡＣＫ）パルスを含んでよい。
【００２２】
コントローラ１２８は、複数の第２パルス信号のセットの送信に応じて、受信リンク１４２における複数のパルス信号の受信を検知すべく、受信リンク１４２（例えば、受信機１２６）を更にモニタしてよい。検知された場合、受信した複数のパルス信号は、複数の特性（例えば、長さ又は周波数）において複数の第２パルス信号（例えば、複数のＡＣＫパルス）と類似し得る。複数の第２パルス信号の受信は、第２電力レベルで通信すべく、検知された光学装置（例えば、リモートデバイス１４８）の能力の確認を示してよい。
【００２３】
コントローラ１２８は、更に、所望のスピードでデータ送信を提供すべく、光源１６０の光学パワーを制御して、第１電力レベルより大きくてよい第２電力レベルにスイッチしてよい。光源１６０は、電源オン状態でアイドリングすることによって潜在的なアイセーフティの脅威を与えるのではなく、光通信チャネル１５０を介してデバイス１４８にデータを送信するので、リモートデバイス１４８とのリンクが上記で説明されたパルス信号の送信及び受信の反復によって検証可能に確立されていることから、第２電力レベルでのデータ送信は、ユーザにとって安全であるとみなされ得る。
【００２４】
光通信チャネル１５０に関する１又は複数のフェイル状態が検知される可能性がある場合、コントローラ１２８は、更に、送信機１２４の光源１６０の光学パワーを制御して、第２電力レベルでの送信を停止（例えば、第１電力レベルにスイッチ）してよい。１又は複数のフェイル状態は、例えば、複数の周囲状況（例えば、温度）が所望のレベルを超えていること、チャネルの電圧が所望の閾値を超えている（又は、逆に、所望の閾値より低く下がっている）こと、（例えば、ケーブル１４６が抜けることに起因する）ロストリンク等を含んでよい。
【００２５】
少なくともいくつかのフェイル状態を検知するべく、コントローラ１２８は、受信リンク１４２をモニタしてよい。例えば、第２電力レベルでのデータ送信の間に、コントローラ１２８は、受信信号強度インジケータ（ＲＳＳＩ）又は受信リンク内の他のそのようなインジケータが所望の閾値より低いことを決定してよく、このことは、ケーブル１５０が抜けている等の故障を示してよい。コントローラ１２８は、第２電力レベルでのデータ送信を停止し、第１電力レベルでの複数の第１パルス信号（複数のＩＮＩＴパルス）の送信を再開してよい。
【００２６】
別の例において、第１電力レベルでの複数の第１パルス信号（例えば、複数のＩＮＩＴパルス）を光通信チャネル１５０の送信リンク１４０を介して送信することを開始する前に、コントローラ１２８は、受信リンク１４２内のＲＳＳＩが所望の閾値を超えていること決定してよい。コントローラ１２８は、リンクパートナー（例えば、リモートデバイス１４８）における第１電力レベルでの複数の第１パルス信号（複数のＩＮＩＴパルス）の送信を再開すべく、送信リンク１４０上にリンクリセット条件を発行し、受信リンク１４２内のＲＳＳＩが所望の範囲内であるか否かを決定するべく再びチェックしてよい。
【００２７】
上記で説明したように、光通信チャネル１５０は、複数の通信チャネルを含んでよい。コントローラ１２８は、指定されたポーリングウィンドウ（例えば、時間周期）内に複数の光通信チャネル１５０のそれぞれを処理するように構成されてよい。特定のチャネルに対する指定されたポーリングウィンドウ内で、コントローラ１２８は、上記で説明された複数の動作（複数の第１パルス信号の送信を開始し、第２電力レベルで通信するべくチャネルの他端における光学デバイスの能力を確認し、第２電力レベルでのデータ送信を実行し、複数のチャネル故障をチェックする等）を実行し、次のチャネルに移ってよい。例えば、光通信チャネル１５０が４つのチャネルを含む場合、各チャネルに割り当てられるポーリングウィンドウは、Ｔｍｓであってよい。４つのチャネルに対するポーリングサイクルは、４×Ｔｍｓ＋ＴＤからなり、ここで、ＴＤは、複数のサイクル（例えば、約１ｍｓ又はそれより短い）の間の遅延である。
【００２８】
いくつかの実施形態において、第１電力レベルは、業界標準、例えば、国際電気標準会議（ＩＥＣ）により提供されるようなクラス１  レーザ安全規格６０８２５−１及び／又は米国国家規格協会（ＡＮＳＩ）により提供されるようなＡＮＳＩ  Ｚ１３６に従う出力領域に対応してよい。いくつかの実施形態において、第２電力レベルは、別の業界標準、例えば、ＩＥＣにより提供されるようなクラス３Ｒ  レーザ安全規格に従う出力領域に対応してよい。クラス３Ｒの電力レベルの明るさは、直接さらした場合に、人の目に潜在的に損傷を与え得る。
【００２９】
図２は、いくつかの実施形態に係る、コンピューティングデバイス（例えば、デバイス１００）内の光学装置（例えば、光トランシーバ）の動作に関する例示的なプロセスフロー図である。いくつかの実施形態において、処理２００は、図１に関して説明される複数の動作に適合し得る。
【００３０】
処理２００は、ブロック２０２で開始してよく、ここでは、コンピューティングデバイス（例えば、１００）とネットワークとの間の光通信チャネル（例えば、１５０）の電源がオンにされる。２０４で示されるように、トランシーバ（例えば、１２０）は、ネットワークに対する（例えば、第２電力レベルでの）データ送信を即座に開始しなくてよい。代わりに、ブロック２０６で、トランシーバは、第１電力レベルで、複数の第１パルス信号（例えば、複数のＩＮＩＴパルス）の第１セットを、光通信チャネル（例えば、１５０）の送信リンク（例えば、１４０）を介して送信することを開始してよい。
【００３１】
決定ブロック２０８で、トランシーバは、光通信チャネルの受信リンク（例えば、１４２）において光学パワーの変化が検知されるか否かを決定してよい。変化は、複数の第１パルス信号の送信に応じて生じ得、光通信チャネル上に（例えば、光通信チャネルの他端における）他の光学装置の光信号が存在することを示し得る。変化が検知されない場合、トランシーバは、複数の第１パルス信号を送信し続けてよい。
【００３２】
受信リンクにおいて光学パワーの変化が検知された場合、トランシーバは、検知された光学装置に対して、第１電力レベルでの複数の第２パルス信号（例えば、複数のＡＣＫパルス）の送信を開始してよい。
【００３３】
決定ブロック２１２で、トランシーバは、複数の第２パルス信号の送信に応じて、複数の第２パルス信号が受信リンクにおいて検知されたか否かを決定してよい。複数の第２パルス信号（例えば、複数のＡＣＫパルス）が受信されていない場合、処理２００は、ブロック２０６に戻ってよく、複数の第１パルス信号の送信が再開されてよい。
【００３４】
複数の第２パルス信号（例えば、複数のＡＣＫパルス）が受信された場合、複数の第２パルス信号の受信は、検知された光学装置における第２電力レベルで通信する能力を確認したことをトランシーバに示してよい。それに応じて、ブロック２１４では、トランシーバは、検知された光学装置に対して、送信リンクを介した第２電力レベルでのデータ送信を開始してよい。上記で説明したように、第２電力レベルは、第１電力レベルより大きくてよい。
【００３５】
決定ブロック２１６及び２１８で、トランシーバは、データ送信又は光通信チャネルに関連するいずれかの故障が検知されたか否かを決定してよい。例えば、決定ブロック２１６で、トランシーバは、「消失信号」インジケーションが受信リンク内で受信されたか否かを決定してよく、「消失信号」インジケーションは、光通信チャネル内の故障（例えば、光ケーブルが抜かれた可能性があること）を示す。図１を参照して説明したように、決定ブロック２１８で、トランシーバは、（複数の）他のフェイル状態が通信チャネル内で生じたか否かを決定してよい。
【００３６】
故障が検知されなかった場合、第２電力レベルでのデータ送信を継続してよい。故障が検知された場合、図１を参照して説明したような改善策を講じてよい。例えば、第２電力レベルでのデータ送信を再開する前に、データ送信は、停止されてよく、処理２００は、基本的に繰り返されてよい。例えば、処理２００は、ブロック２０６に移ってよく、複数の第１パルス信号の送信が再開されてよい。
【００３７】
上記で説明した光トランシーバの電力制御技術に加えて、又は、これに代えて、光源の電力制御を対象とした他の技術は、図１及び２を参照して説明したもののような光トランシーバを有するコンピューティングデバイスで採用され得る。例えば、図３〜図５を参照して以下に説明されるように、光トランシーバは、光源（例えば、レーザ）を電源オフ状態に維持し、光通信チャネルが動作可能なとき、例えば、光ケーブルが、ＮＩＣ（例えば、ＮＩＣ１０６）及び光トランシーバ（例えば、１２０）を有するモジュール１０４のような通信インタフェースモジュールにプラグ接続されたときに、レーザの電源をオンにするように構成されてよい。
【００３８】
図３は、図１を参照して説明された光学装置と類似する例示的な光学装置３００を模式的に示すブロック図である。光学装置３００は、例えば、プリント回路基板（ＰＣＢ）（又は、他のパッケージング技術）上に配置されてよい。図３では、光学装置３００がＰＣＢ３０４上に配置されるように示されており（例示の目的であり、このパッケージング技術に制限されない）、図１を参照して説明された通信インタフェースモジュール１０４と類似する光通信チャネル（例えば、１５０）を介した複数の光通信を促進するべく、ＮＩＣ（例えば、１０６）と結合される１２０と類似する光トランシーバを含んでよい。
【００３９】
いくつかの実施形態において、トランシーバは、光通信チャネルを介して複数の光信号を送信するレーザ３５０を有する送信機と、光通信チャネルを介して複数の光信号を受信する受信機とを含んでよい。簡略化の目的で、トランシーバ及びＮＩＣコンポーネント（例えば、送信機及び受信機）のうちの少なくとものいくつかは図３に示されていない。
【００４０】
光学装置３００は、配置３００（例えば、デバイス１００）を含むコンピューティングデバイスとコンピュータネットワーク（不図示）との間に光通信チャネルを提供する光ファイバケーブル３０８を受容するケージ（例えば、レセプタ）３０６を更に含んでよい。ケージは、技術分野において知られているように、ＰＣＢ３０４に接続されてよい。光ファイバケーブル３０８のような導波路は、様々な方法でＰＣＢ３０４に配置される光学装置３００と結合されてよい。例えば、上記で説明されたように、光ファイバケーブル３０８は、ＳＣ、ＬＣ、ＱＳＦＰ用のＭＰＯ又は他の光ファイバコネクタのような、光コネクタ３１０を介してケージ３０６と接続されてよい。光学装置の送信機及び受信機は、簡略化の目的で省略されているが、ＰＣＢ３０４上に配置された送信機と受信機との間のコネクタ３２０及び３２２と、ケーブル３０８の光コネクタ３１０とが図３に示される。示されるように、コネクタ３２０及び３２２は、光コネクタ３１０がケージ３０６に挿入（プラグ接続）されたときに、光コネクタ３１０により受容されるように構成される。
【００４１】
光学装置３００は、光学装置３００の光トランシーバに含まれる光源３５０（例えば、レーザ）の電源をオンにする送信有効回路３２４を更に含んでよい。送信有効回路の複数のコンポーネントは、簡略化の目的で図３に示されていない。送信有効回路３２４とレーザ３５０との間の複数の接続がＴｘ＿ＥＮＡで示されている。
【００４２】
いくつかの実施形態において、低電圧オープン回路のような、接続ピン回路３１４が送信有効回路３２４に付加されてよい。接続ピン回路３１４は、ケージ３０６の内部に配置され得るブレーカ（例えば、接続ピン）３１６を含んでよい。接続ピン回路３１４は、ノーマリーオープンであってよく、例えば、ブレーカ３１６は、ノーマリーオープンな状態にあってよい。光ファイバコネクタ３１０がケージ３０６に挿入されるときに、ブレーカ３１６がトリップ（スイッチ）してノーマリーオープンな接続ピン回路３１４をクローズし、レーザ電源線、例えば、送信有効回路３２４をＰＣＢ３０４の共通グランド３４０に効果的に接地する。
【００４３】
図４及び図５は、いくつかの実施形態に係る、ケージ３０６、コネクタ３２０及び３２２、並びに、ブレーカ（例えば、接続ピン）３１６を含む例示的な光学装置３００の一部の断面正面視４００及び側面視５００を示す。概して、ブレーカ３１６は、コネクタ３１０の挿入がブレーカ３１６をトリップし、接続ピン回路３１４をクローズし得ることを保証するように、ケージ３０６の内部に配置されてよい。一例において、ブレーカは、図４及び図５に示されるように、ケージ３０６の底面４１２に対して実質的に直交して、ケージ上部４１０あたりのケージ３０６の内部に移動可能に配置されてよい。光コネクタ３１０は、矢印４０２及び５０２で示されるようにケージ３０６に挿入されるときに、湾曲した矢印５０４で示される方向にブレーカ３１６を押し込んでトリップさせ、接続ピン回路３１４を完成することによって光学装置３００のレーザ３５０の電源をオンにする。
【００４４】
従って、図３〜図５を参照して説明された光学装置のレーザ３５０は、上記で説明されたように、光ファイバケーブル３０８が光学装置３００にプラグ接続されない限り、電源がオンにされ得ない。従って、プラグインされる光ファイバケーブル３０８が存在しない場合に、ケージ３０６の内部にレーザビームは存在しない。
【００４５】
図６は、いくつかの実施形態に係る、図３〜図５の光学装置３００を動作させる処理６００のためのフロー図を模式的に示す。光学装置３００の動作は、例えば、図１のコントローラ１２８と類似するコントローラにより、実行されてよい。
【００４６】
ブロック６０２で、レーザ３５０は、電源オフ状態にあってよく、この状態は、光ファイバケーブル３０８を介して光学装置３００とネットワークとの間に確立される接続が存在しない場合のレーザ３５０のデフォルト状態であってよい。
【００４７】
決定ブロック６０４では、光ファイバケーブル３０８を介した光学装置３００とネットワークとの間の接続が確立されたか否か、例えば、送信機及び受信機のコネクタ３２０、３２２を受容するように、コネクタ３１０がケージ３０６に挿入されたか否かが決定されてよい。接続が確立されていない場合、レーザ３５０は、電源オフ状態のままであってよい。
【００４８】
接続が確立された場合（例えば、コネクタ３１０がケージ３０６に挿入された場合）、決定ブロック６０６で、レーザ電力回路が完成されたか否か、例えば、ブレーカ３１６が光コネクタ３１０の挿入によりトリップされて、接続ピン回路３１４をクローズし、レーザ電源線、例えば、送信有効回路３２４をＰＣＢ３０４の共通グランド３４０に接地したか否かが決定されてよい。回路３１４が完成されていない場合、レーザ３５０は、電源オフ状態のままであってよい。
【００４９】
接続ピン回路３１４が完成された場合、決定ブロック６０８で、レーザ３５０の電源がオンにされているか否かを決定してよい。レーザの電源がオンにされている場合、処理６００を終了してよい。レーザの電源がオンにされていない場合、これは、問題が送信有効回路３２４に関して存在することを（所望のレベルの可能性で）示し得る。ブロック６１０で、問題は、示されてよく（例えば、コントローラ１２８により発行される警告を介して報告される）、レーザ３５０は、問題が解決されるまで電源オフ状態のままであってよい。
【００５０】
様々な動作が、特許請求された主題を理解するのに最も役立つ態様で、複数の個別動作として順番に説明される。しかしながら、説明の順序は、これらの動作が必ず順序に依存することを示唆するものとして解釈されるべきでない。本開示の複数の実施形態は、所望のように構成される任意の適切なハードウェア及び／又はソフトウェアを用いたシステムに実装されてよい。
【００５１】
図７は、様々な実施形態に係る、図１のＮＩＣ１０６及び光トランシーバ１２０、並びに／又は、図３の光学装置３００を含むコンピューティングデバイス１００のような、図１の様々なコンポーネントと共に用いるのに適切な例示的なコンピューティングデバイス７００を示す。示されるように、コンピューティングデバイス７００は、１又は複数のプロセッサ又はプロセッサコア７０２、及び、システムメモリ７０４を含んでよい。特許請求の範囲を含む本願の目的のために、「プロセッサ」及び「複数のプロセッサコア」という用語は、文脈が別の方法を明らかに求めていない限り、同義語とみなされてよい。プロセッサ７０２は、中央処理装置（ＣＰＵ）、マイクロプロセッサ等のような任意のタイプのプロセッサを含んでよい。プロセッサ７０２は、マルチコア、例えば、マルチコアマイクロプロセッサを有する集積回路として実装されてよい。コンピューティングデバイス７００は、（ディスケット、ハードドライブ、揮発性メモリ（例えば、ダイナミックランダムアクセスメモリ（ＤＲＡＭ）、コンパクトディスクリードオンリメモリ（ＣＤ−ＲＯＭ）、デジタル多目的ディスク（ＤＶＤ）等）のような）複数の大容量ストレージデバイス７０６を含んでよい。概して、システムメモリ７０４及び／又は複数の大容量ストレージデバイス７０６は、揮発性及び不揮発性メモリ、光学、磁気及び／又はソリッドステート大容量ストレージ等を含むが、これらに限定されない、任意のタイプの一時的及び／又は永続的なストレージであってよい。揮発性メモリは、スタティック及び／又はダイナミックランダムアクセスメモリを含んでよいが、これらに限定されない。不揮発性メモリは、電気的に消去可能なプログラマブルリードオンリメモリ、相変化メモリ、抵抗メモリ等を含んでよいが、これらに限定されない。
【００５２】
コンピューティングデバイス７００は、（ディスプレイ（例えば、タッチスクリーンディスプレイ）、キーボード、カーソルコントロール、リモートコントロール、ゲームコントローラ、画像キャプチャデバイス等のような）複数の入力／出力（Ｉ／Ｏ）デバイス７０８、及び、（ネットワークインタフェースカード、光学装置、モデム、赤外線受信機、無線受信機（例えば、Ｂｌｕｅｔｏｏｔｈ（登録商標））等のような）複数の通信インタフェース７１０を更に含んでよい。
【００５３】
いくつかの実施形態において、複数の通信インタフェース７１０は、ＮＩＣ１０６及び光トランシーバ１２０のような、通信インタフェースモジュール１０４の複数のコンポーネントのうちのいくつか又は全てを含んでよい。例えば、複数の通信インタフェース７１０は、上記で説明したような、光源１６０を有する送信機１２４の態様で実装される光トランシーバ１２０、光受信機１２６、ＭＵＸ１３４及びコントローラ１２８を含んでよい。いくつかの実施形態において、コントローラ１２８は、ステートマシンを有してよい。いくつかの実施形態において、光トランシーバ１２０の少なくともいくつかのコンポーネントは、コンピューティングデバイス７００と、例えば、バス７１２を介して通信可能に結合されてよい。
【００５４】
いくつかの実施形態において、複数の通信インタフェース７１０は、図３〜図５の光学装置３００に類似して構成される複数のコンポーネントを含んでよい。例えば、複数の通信インタフェース７１０は、ＰＣＢ３０４上に配置されてよく、図３を参照して説明されるように構成されるブレーカ３１６を有する接続ピン回路３１４を有するケージ３０６を含んでよい。
【００５５】
複数の通信インタフェース７１０は、移動体通信用グローバルシステム（ＧＳＭ（登録商標））、汎用パケット無線サービス（ＧＰＲＳ）、ユニバーサル移動体通信システム（ＵＭＴＳ）、高速パケットアクセス（ＨＳＰＡ）、進化型ＨＳＰＡ（Ｅ−ＨＳＰＡ）又はロングタームエボリューション（ＬＴＥ）ネットワークに従って、デバイス７００を動作させるように構成され得る複数の通信チップ（不図示）を含んでよい。複数の通信チップは、ＧＳＭ（登録商標）進化型高速データレート（ＥＤＧＥ）、ＧＳＭ（登録商標）  ＥＤＧＥ無線アクセスネットワーク（ＧＥＲＡＮ）、ユニバーサル地上無線アクセスネットワーク（ＵＴＲＡＮ）、又は、進化型ＵＴＲＡＮ（Ｅ−ＵＴＲＡＮ）に従って動作するように構成されてもよい。複数の通信チップは、符号分割多元接続（ＣＤＭＡ）、時分割多元接続（ＴＤＭＡ）、デジタル強化コードレス電気通信（ＤＥＣＴ）、Ｅｖｏｌｕｔｉｏｎ‐Ｄａｔａ  Ｏｐｔｉｍｉｚｅｄ（ＥＶ−ＤＯ）、それらの派生物、並びに、３Ｇ、４Ｇ、５Ｇ及びそれ以降の世代として指定される任意の他の無線プロトコルに従って動作するように構成されてよい。複数の通信インタフェース７１０は、他の実施形態において他の無線プロトコルに従って動作してよい。
【００５６】
上記で説明したコンピューティングデバイス７００の複数の要素は、システムバス７１２を介して互いに結合されてよく、システムバス７１２は、１又は複数のバスを表してよい。複数のバスの場合、それらは１又は複数のバスブリッジ（不図示）によりブリッジされてよい。これらの要素のそれぞれは、当該技術分野で知られている、それぞれの要素の従来の機能を実行してよい。特に、システムメモリ７０４及び大容量ストレージデバイス７０６は、図１のコントローラ１２８の動作に対する複数のプログラミング命令の作業コピー及び永久コピーを格納するのに用いられてよい。様々な要素は、（複数の）プロセッサ７０２又はそのような複数の命令にコンパイルされ得る高水準言語によりサポートされる複数のアセンブラ命令により実装されてよい。
【００５７】
複数のプログラミング命令の永久コピーは、例えば、コンパクトディスク（ＣＤ）のような、分散媒体（不図示）を通じて、又は、（分散サーバ（不図示）から）通信インタフェース７１０を通じて、ファクトリー又はフィールド内の複数の永久ストレージデバイス７０６に置かれてよい。すなわち、エージェントプログラムの実装を有する１又は複数の分散媒体は、エージェントを分散し、様々なコンピューティングデバイスをプログラムすることに用いられてよい。
【００５８】
要素７０８、７１０、７１２の数、能力及び／又は容量は、コンピューティングデバイス７００が、セットトップボックス若しくはデスクトップコンピュータのような静止コンピューティングデバイス、又は、タブレットコンピューティングデバイス、ラップトップコンピュータ、ゲームコンソール若しくはスマートフォンのようなモバイルコンピューティングデバイスとして用いられるか否かに応じて変更されてよい。これらの構成は、その他の点で既知であるので、更に説明しない。
【００５９】
複数の実施形態において、メモリ７０４は、図１〜図６を参照して説明された複数の動作のような、複数の実施形態の複数の態様を実行するように構成される計算論理７２２を含んでよい。一実施形態について、複数のプロセッサ７０２のうちの少なくとも１つは、システムインパッケージ（ＳＩＰ）又はシステムオンチップ（ＳｏＣ）を形成するべく、本明細書で説明される光信号変調の複数の態様を実行するように構成される計算論理７２２と合わせてパッケージ化されてよい。
【００６０】
様々な実装において、コンピューティングデバイス７００は、データセンタの１又は複数のコンポーネント、ラップトップ、ネットブック、ノートブック、ウルトラブック、スマートフォン、タブレット、パーソナルデジタルアシスタント（ＰＤＡ）、ウルトラモバイルＰＣ、携帯電話、又は、デジタルカメラを有してよい。更なる複数の実装において、コンピューティングデバイス７００は、データを処理する任意の他の電子デバイスであってよい。
【００６１】
様々な実施形態によれば、本開示は、複数の実施例を説明する。実施例１は、異なる電力レベルでの複数の通信を制御するための光学装置であり、光学装置は、少なくとも１つの光通信チャネルの送信リンクを介して複数の第１光信号を送信する光源を有する送信機と、少なくとも１つの光通信チャネルの受信リンクを介して複数の第２光信号を受信する受信機と、送信機及び受信機と結合されるコントローラとを備え、コントローラは、送信機により、第１電力レベルで送信リンクを介して複数の第１パルス信号の第１セットを送信させ、受信リンクにおける光学パワーの変化を検知し、当該変化は、光通信チャネル上に他の光学装置からの光信号が存在することを示し、他の光学装置が、第２電力レベルでの複数の通信が可能であることを確認し、他の光学装置に対して、送信機による送信リンクを介した第２電力レベルでのデータ送信を開始し、第２電力レベルは、第１電力レベルより大きい。
【００６２】
実施例２は、実施例１の主題を含んでよく、更に、受信リンクにおける光学パワーの変化が複数の第１パルス信号の送信に応じて生じることを特定する。
【００６３】
実施例３は、実施例１の主題を含んでよく、更に、他の光学装置が第２電力レベルでの複数の通信が可能であることを確認することは、送信機に対して、送信リンクを介して第１電力レベルで複数の第２パルス信号の第１セットを他の光学装置へ送信させることと、複数の第２パルス信号の第１セットの送信に応じて、複数の第２パルス信号の第２セットの受信を受信リンクにて検知することとを含み、複数の第２パルス信号の第２セットの受信が、第２電力レベルで通信するべく、他の光学装置の能力を確認することを示すことを特定する。
【００６４】
実施例４は、実施例１の主題を含んでよく、更に、コントローラが光通信チャネル内の少なくとも１つのフェイル状態を検知してよく、送信機により、送信リンクを介して複数の第１パルス信号の第２セットを第１電力レベルで送信させることを特定する。
【００６５】
実施例５は、実施例１の主題を含んでよく、更に、コントローラが光通信チャネルに対して割り当てられる送信期間の間に、送信機を通じて複数の第１パルス信号及び複数の第２パルス信号を送信させることを特定する。
【００６６】
実施例６は、実施例１の主題を含んでよく、更に、フェイル状態が第１閾値を超える電圧、第２閾値未満の電圧、第３閾値を超える温度、第４閾値を超える周囲状況のうちの１つを含むことを特定する。
【００６７】
実施例７は、実施例１の主題を含んでよく、更に、光源がレーザであることを特定する。
【００６８】
実施例８は、実施例１の主題を含んでよく、更に、第１電力レベルがクラス１  米国国家規格協会（ＡＮＳＩ）レーザ安全規格に対応し、第２電力レベルがクラス３Ｒ  ＡＮＳＩレーザ安全規格に対応することを特定する。
【００６９】
実施例９は、実施例１から８のいずれかの主題を含んでよく、更に、コントローラが、更に、複数の第１パルス信号の第１セットの送信の間に光通信チャネル内の少なくとも１つのフェイル状態を検知し、送信を無効にし、又は、送信を再開し得ることを特定する。
【００７０】
実施例１０は、ネットワークインタフェースカードを含んでよく、ネットワークインタフェースカードは、実施例１の光学装置を備える。
【００７１】
実施例１１は、コンピューティングシステムであり、コンピューティングシステムは、プロセッサと、プロセッサと結合されるメモリと、プロセッサ及びメモリと結合され、コンピューティングシステムをネットワークと接続する通信インタフェースデバイスを備え、通信インタフェースデバイスは、実施例１に記載の光学装置を有するネットワークインタフェースカードを含む。
【００７２】
実施例１２は、異なる電力レベルで複数の通信を制御するための方法であり、方法は、光学装置が、光通信チャネルの送信リンクを介した複数の第１パルス信号の第１セットの送信を第１電力レベルで開始する段階と、光学装置が、光通信チャネルの受信リンクにおける光学パワーの変化を検知する段階であって、当該変化は、複数の第１パルス信号の送信に応じて生じ、光通信チャネル上に他の光学装置の光信号が存在することを示す、段階と、他の光学装置が第２電力レベルでの複数の通信が可能であることを光学装置が確認する段階と、光学装置が、他の光学装置への送信リンクを介した第２電力レベルでのデータ送信を開始する段階とを備え、第２電力レベルは、第１電力レベルより大きい。
【００７３】
実施例１３は、実施例１２の主題を含んでよく、更に、他の光学装置が第２電力レベルでの複数の通信が可能であることを確認する段階は、光学装置が、他の光学装置に対する第１電力レベルでの複数の第２パルス信号の第１セットの送信を開始する段階と、複数の第２パルス信号の第１セットの送信に応じて、光学装置が、受信リンクにおける複数の第２パルス信号の第２セットの受信を検知する段階とを含むことを特定する。
【００７４】
実施例１４は、実施例１３の主題を含んでよく、更に、光学装置が、光通信チャネル内の少なくとも１つのフェイル状態を検知する段階と、光学装置が、送信リンクを介した第１電力レベルでの複数の第１パルス信号の第２セットの送信を開始する段階とを特定する。
【００７５】
実施例１５は、ネットワークに対して、光通信チャネルを介して複数の光信号を送信及び受信する光学装置であり、光学装置は、光通信チャネルを介して複数の第１光信号を送信するレーザを有する送信機と、光通信チャネルを介して複数の第２光信号を受信する受信機と、光通信チャネルを提供する光ファイバケーブルを受容するケージと、レーザの電源をオンにする回路とを含み、回路は、ケージ内に配置されるブレーカを有するノーマリーオープンな回路を含み、ケージへの光ファイバケーブルの光ファイバコネクタの挿入は、ブレーカをトリップしてノーマリーオープンな回路をクローズする。
【００７６】
実施例１６は、実施例１５の主題を含んでよく、更に、光学装置がプリント回路基板（ＰＣＢ）を含んでよく、ケージがＰＣＢに接続されることを特定する。
【００７７】
実施例１７は、実施例１６の主題を含んでよく、更に、回路がＰＣＢの共通グランドに回路のレーザ電源線を接地してよいことを特定する。
【００７８】
実施例１８は、実施例１５から１７のいずれかの主題を含んでよく、更に、ネットワークインタフェースカード（ＮＩＣ）が光学装置の送信機及び受信機による複数の光信号の送信及び受信を可能にするべく、光学装置と結合されてよいことを特定する。
【００７９】
実施例１９は、実施例１５の主題を含んでよく、更に、光学装置が、送信機及び受信機と結合され、送信機に対して、第１電力レベルで複数の第１パルス信号の第１セットを光通信チャネルの送信リンクを介して送信させ、光通信チャネルの受信リンクにおける光学パワーの変化を検知し、当該変化が、光通信チャネル上に他の光学装置からの光信号が存在することを示しており、他の光学装置が第２電力レベルでの複数の通信が可能であることを確認し、他の光学装置に対して、送信機による送信リンクを介した第２電力レベルでのデータ送信を開始するコントローラを含んでよく、第２電力レベルが第１電力レベルより大きいことを特定する。
【００８０】
実施例２０は、コンピューティングシステムであり、コンピューティングシステムは、プロセッサと、プロセッサと結合されるメモリと、プロセッサ及びメモリと結合され、コンピューティングシステムをネットワークと接続する通信インタフェースデバイスとを備え、通信インタフェースデバイスは、実施例１５の光学装置を有するネットワークインタフェースカードを含む。
【００８１】
様々な実施形態は、上記の（及び）連結的な形式で説明される複数の実施形態のうち、代替的な（又は）複数の実施形態を含む（例えば、「及び」は、「及び／又は」であってよい）、上述された複数の実施形態の任意の適切な組み合わせを含んでよい。更に、いくつかの実施形態は、実行されるときに、上述された複数の実施形態のいずれかの動作をもたらす、そこに格納される複数の命令を有する１又は複数の製造品（例えば、非一時的なコンピュータ可読媒体）を含み得る。更に、いくつかの実施形態は、上述された複数の実施形態の様々な動作を実行するための任意の適切な手段を有する装置又はシステムを含んでよい。
【００８２】
要約書に開示されたものを含めて、示された複数の実装に関する上記の説明は、網羅的なものとすることを意図するものではなく、又は、本開示の複数の実施形態を開示された明確な形態に限定することを意図するものでない。特定の実装及び例が例示の目的のために本明細書に説明される一方で、当業者が認識するように、本開示の範囲内で、様々に均等な変形が可能である。
【００８３】
これらの変形は、上述の詳細な説明を考慮して、本開示の複数の実施形態に施されてよい。以下の特許請求の範囲において使用される用語は、本開示の様々な実施形態を、明細書及び特許請求の範囲に開示された特定の実装に限定して解釈されるべきでない。むしろ、範囲は、以下の特許請求の範囲によって全体的に決定されるべきであり、特許請求の範囲は、クレーム解釈の認められた原則に従い解釈されるべきである。
【図１】
0006380863.tif 000002
【図２】
0006380863.tif 000003
【図３】
0006380863.tif 000004
【図４】
0006380863.tif 000005
【図５】
0006380863.tif 000006
【図６】
0006380863.tif 000007
【図７】
0006380863.tif 000008